(57)【要約】【課題】機器本体の消費電力を低減させることができる音響機器を提供するものである。特に、機器本体の電源オフ時の消費電力を削減する。【解決手段】リモコン用接続接点４ｄに対する第１のプラグ２又は第２のプラグ７の接続状態を検出する検出部８と、接続部８に第１のプラグ２が接続され、操作部１２が操作された際に、機器の動作制御を行う動作制御部１０と、検出部８の検出結果に対応して動作制御部９への電源供給を制御する電源制御部９とを備え、電源制御部９は、検出部８が第１のプラグ２の接続を検出した場合に、動作制御部１０の電源を投入するよう制御し、操作部１２による操作で音響機器の動作制御を可能に構成したものである。【選択図】図１
2007251410.tif 000002
【特許請求の範囲】
【請求項１】
スピーカーにコードを介して接続された音声信号端子と接地端子とともに、前記コードの途中に配されているリモコン操作部に接続されたリモコン用接続端子を備えた第１の単頭プラグ、又は、スピーカーにコードを介して接続された音声信号端子と接地端子とを備えた第２の単頭プラグを、選択的に接続可能な音響機器であって、
前記音声信号端子が接続可能な音声信号接点と、前記接地端子が接続可能な接地接点と、前記リモコン用接続端子が接続可能なリモコン用接続接点とを備えた接続部と、
前記リモコン用接続接点に対する前記第１の単頭プラグ又は前記第２の単頭プラグの接続状態を検出する検出部と、
前記接続部に前記第１の単頭プラグが接続され、前記リモコン操作部が操作された際に、機器の動作制御を行う動作制御部と、
前記検出部の検出結果に対応して、前記動作制御部への電源供給を制御する電源制御部とを備え、
前記電源制御部は、前記検出部が前記第１の単頭プラグの接続状態において前記リモコン操作部が電源オンの操作を行ったことを検出した場合に、前記動作制御部の電源を投入するよう制御して、前記リモコン操作部の操作に対応した音響機器の動作制御を可能に構成したことを特徴とする音響機器。
【請求項２】
前記動作制御部は、前記リモコン操作部の操作時における前記リモコン用接続接点と前記接地接点との間の電圧変化により、操作を検出するように構成した請求項１記載の音響機器。
【請求項３】
前記検出部は、前記接続部の前記接地接点及び前記リモコン用接続接点に、前記第２の単頭プラグの接地端子が接続された時、前記第２の単頭プラグが前記接続部に接続されたことを検出する請求項１記載の音響機器。
【請求項４】
前記電源制御部は、前記検出部において前記第２の単頭プラグが接続されたことを検出した時、前記制御部に電源を供給し、一定時間経過後に電源を遮断するよう制御する請求項３記載の音響機器。
【請求項５】
前記リモコン用接続接点と電源回路との間に流れる電流を制御する電流制御回路をさらに備え、
前記電流制御回路は、前記検出部が前記第２の単頭プラグの接続を検出した時、電源から前記リモコン用接続接点へ流れる電流を低減させるよう制御する請求項４記載の音響機器。
【発明の詳細な説明】
【技術分野】
【０００１】
本発明は、ポータブルＣＤプレーヤーや半導体メモリーオーディオプレーヤーに代表される携帯型の音響機器に関する。特に、ヘッドホン又はイヤホンを接続可能な音響機器に関する。
【背景技術】
【０００２】
携帯型音響機器は、機器本体に装備されている操作部の他に、リモートコントローラー（以下、リモコンと称する）が装備されていることが多く、操作性を向上させている。このようなリモコンは、音響機器本体に接続可能なヘッドホン（頭載型やインナーイヤー型等）のコードの途中部分に配され、再生／停止ボタンや音量調節ボタンなど比較的使用頻度が高い操作スイッチや、機器の動作状態を視認できる液晶表示画面などが装備されている。
【０００３】
このようなリモコン付きヘッドホンは、機器側のジャックに接続可能なプラグに、左チャンネル（Ｌｃｈ）音声端子、右チャンネル（Ｒｃｈ）音声端子、接地端子（ＧＮＤ）に加えて、リモコン用接続端子が１つ以上備えられている。なお、以下の説明において、Ｌｃｈ音声端子とＲｃｈ音声端子と接地端子とを備えたプラグを「３極単頭プラグ」と称する。また、Ｌｃｈ音声端子とＲｃｈ音声端子と接地端子と一つのリモコン用接続端子とを備えたプラグを「４極単頭プラグ」と称する。３極単頭プラグ及び４極単頭プラグの構成は、例えば特許文献１に開示されている。ここで、４極単頭プラグは、リモコン用接続端子と接地端子によってリモコン操作の入力が可能になる。
【０００４】
このような４極単頭プラグを備えたリモコン付きヘッドホンを音響機器に接続し、リモコンに配されている操作ボタンが操作されると、リモコン用接続端子の電圧が所定レベルになる。リモコンに複数の操作ボタンが配されている場合は、操作ボタンの種類毎に異なる電圧レベルになる。機器は、リモコン用接続端子における電圧を測定して、操作された操作ボタンを判定し、その判定結果に対応した機能を実行させている。このような技術は、例えば特許文献２に開示されている。
【０００５】
さらに、上記音響機器が電源オフの状態で操作ボタンが操作されると、リモコン用接続端子の電圧が下がり、機器の動作制御マイコンに電源を供給し、動作状態にすることができる。
【０００６】
次に、３極単頭プラグまたは４極単頭プラグと、機器との接続状態について説明する。
【０００７】
図７及び図８は、ヘッドホンのプラグとジャックとの接続状態を示す断面図であり、図７はリモコン付きヘッドホンに装備されている４極単頭プラグが接続された状態、図８はヘッドホン（リモコン無し）に装備されている３極単頭プラグが接続された状態を示している。図７及び図８において、機器にヘッドホンを接続する際は、プラグ本体１０１または１０６を、機器に配されているジャック１０３に挿入する。
【０００８】
図７において、プラグ本体１０１は、音声端子１０２ａ及び１０２ｂ、接地端子１０２ｃ、リモコン用接続端子１０２ｄとが一体形成された４極単頭プラグで構成されている。また、図８において、プラグ本体１０６は、音声端子１０７ａ及び１０７ｂ、接地端子１０７ｃとが一体形成された３極単頭プラグで構成されている。音声端子１０２ａ、１０２ｂ、１０７ａ、１０７ｂと、接地端子１０２ｃ及び１０７ｃは、ヘッドホンコードを介して他端に配されているヘッドホンスピーカーに接続されている。リモコン用接続端子１０２ｄは、ヘッドホンスピーカーの途中に配されたリモコンに接続され、リモコンにおける操作ボタンが操作されることで端子と接地端子102ｅとの間のインピーダンスが切り換えられる。
【０００９】
また、図７及び図８において、機器側に装備されているジャック１０３は、音声信号接点１０４ａ及び１０４ｂ、接地接点１０４ｃ、リモコン用接続接点１０４ｄで構成され、機器本体１０５内に配されている。音声信号接点１０４ａ及び１０４ｂは機器内の音声信号処理系の回路に接続され、リモコン用接続接点１０４ｄは機器内の動作制御マイコンに接続されている。
【００１０】
図７に示すように、リモコン付ヘッドホン用の４極単頭プラグであるプラグ本体１０１が、ジャック１０３に挿入接続された場合は、音声端子１０２ａに音声接点１０４ａが接続され、音声端子１０２ｂに音声接点１０４ｂが接続され、接地端子１０２ｃに接地接点１０４ｃが接続され、リモコン用接続端子１０２ｄにリモコン用接続接点１０４ｄが接続される。
【００１１】
これにより、機器側から出力されるＬｃｈ音声信号は、音声接点１０４ａ及び音声端子１０２ａを介してリモコン付きヘッドホンのＬｃｈスピーカーへ出力され、Ｒｃｈ音声信号は、音声接点１０４ｂ及び音声端子１０２ｂを介してリモコン付きヘッドホンのＲｃｈスピーカーへ出力される。また、ヘッドホンコードに装備されたリモコンが、ユーザーによって操作された場合は、リモコン用接続接点１０２ｄと接地端子１０２ｃとの間のインピーダンスが切り換えられ、この変化をリモコン用接続端子１０４ｄにおける電圧変化として検出することにより、リモコンにおいて操作された操作ボタンを特定することができる。機器では、操作された操作ボタンに対応した機能を実行させる。
【００１２】
次に、図８に示すように、リモコンを備えていないヘッドホン用３極単頭プラグであるプラグ本体１０６が、ジャック１０３に挿入接続された場合は、音声端子１０７ａに音声接点１０４ａが接続され、音声端子１０７ｂに音声接点１０４ｂが接続される。接地端子１０７ｃには、接地接点１０４ｃとリモコン用接続接点１０４ｄとが接続される。したがって、リモコン用接続接点１０４ｄは接地される。
【００１３】
これにより、機器側から出力されるＬｃｈ音声信号は、音声接点１０４ａ及び音声端子１０７ａを介してヘッドホンのＬｃｈスピーカーへ出力され、Ｒｃｈ音声信号は、音声接点１０４ｂ及び音声端子１０７ｂを介してヘッドホンのＲｃｈスピーカーへ出力される。
【００１４】
このように、リモコン用接続接点１０４ｄを有するジャック１０３は、リモコンを備えたプラグ本体１０１が接続された場合も、リモコンを備えていないプラグ本体１０６が接続された場合にも、ヘッドホンにより音声信号を聴取できるという利点を有するものである。
【特許文献１】特許第２６０１２１１号公報
【特許文献２】特開２００２−５７５６１号公報
【発明の開示】
【発明が解決しようとする課題】
【００１５】
しかしながら上記構成では、図７に示すように、３極単頭プラグから構成されるプラグ本体１０６をジャック１０３に接続すると、ジャック側のリモコン用接続接点１０４ｄが接地端子１０７ｃに接続されるため、機器の電源状態（オンまたはオフ）に関わらず動作制御マイコンに電源を供給し続けてしまう。よって、機器本体の電源をオフにしている時の消費電力が大きくなってしまうという問題がある。
【００１６】
本発明は、上記課題に鑑み、機器本体の電源オフ時の消費電力を低減させることができる音響機器を提供することを目的とする。
【課題を解決するための手段】
【００１７】
上記目的を達成するために本発明の音響機器は、スピーカーにコードを介して接続された音声信号端子と接地端子とともに、前記コードの途中に配されているリモコン操作部に接続されたリモコン用接続端子を備えた第１の単頭プラグ、又は、スピーカーにコードを介して接続された音声信号端子と接地端子とを備えた第２の単頭プラグを、選択的に接続可能な音響機器であって、前記音声信号端子が接続可能な音声信号接点と、前記接地端子が接続可能な接地接点と、前記リモコン用接続端子が接続可能なリモコン用接続接点とを備えた接続部と、前記リモコン用接続接点に対する前記第１の単頭プラグ又は前記第２の単頭プラグの接続状態を検出する検出部と、前記接続部に前記第１の単頭プラグが接続され、前記リモコン操作部が操作された際に、機器の動作制御を行う動作制御部と、前記検出部の検出結果に対応して、前記動作制御部への電源供給を制御する電源制御部とを備え、前記電源制御部は、前記検出部が前記第１の単頭プラグの接続状態において前記リモコン操作部が電源オンの操作を行ったことを検出した場合に、前記動作制御部の電源を投入するよう制御して、前記リモコン操作部の操作に対応した音響機器の動作制御を可能に構成した。
【発明の効果】
【００１８】
本発明の音響機器は、リモコン用接続端子を備えたヘッドホン用の単頭プラグ対応の機器でありながら、リモコン用接続端子を備えない単頭プラグを選択的に接続して音声信号を出力可能であるため、使い勝手を向上させることができるとともに、機器の小型・薄型化が可能になる。
【００１９】
さらに、リモコン用接続端子を備えない単頭プラグの接地端子に、機器側のリモコン用接続接点が接続されたとしても、その接続を検出して無駄な電力消費を抑えることができる。
【発明を実施するための最良の形態】
【００２０】
本発明の音響機器は、前記動作制御部は、前記リモコン操作部の操作時における前記リモコン用接続接点と前記接地接点との間の電圧変化により、操作を検出するように構成してもよい。
【００２１】
また、前記検出部は、前記接続部の前記接地接点及び前記リモコン用接続接点に、前記第２の単頭プラグの接地端子が接続された時、前記第２の単頭プラグが前記接続部に接続されたことを検出する構成としてもよい。
【００２２】
また、前記電源制御部は、前記検出部において前記第２の単頭プラグが接続されたことを検出した時、前記制御部に電源を供給し、一定時間経過後に電源を遮断するよう制御する構成としてもよい。
【００２３】
また、前記リモコン用接続接点と電源回路との間に流れる電流を制御する電流制御回路をさらに備え、前記電流制御回路は、前記検出部が前記第２の単頭プラグの接続を検出した時、電源から前記リモコン用接続接点へ流れる電流を低減させるよう制御する構成としてもよい。
【００２４】
（実施の形態１）
図１は、実施の形態１の音響機器の内部構成を一部電気回路で示すブロック図である。
【００２５】
図１において、音響機器５０は、例えばポータブルＣＤプレーヤーや半導体メモリーオーディオプレーヤーなどの携帯型音響機器であり、少なくともリモコンを備えた第１のヘッドホン１に接続されている４極単頭プラグである第1のプラグ２、またはリモコンを備えない第２のヘッドホン６に接続された３極単頭プラグ7を選択的に挿入接続可能なジャック４を備えている。また、音響機器５０は、少なくともジャック４と、検出部８と、電源制御部９と、動作制御部１０と、電源回路２５と、情報媒体２１と、再生制御部２２と、音声信号処理部２３と、第１の増幅部２４ａと、第２の増幅部２４ｂとを備えている。
【００２６】
ジャック４は、第１のプラグ２及び第２のプラグ７を、選択的に挿入可能な開口部を備え、内部に第１の音声出力接点４ａと第２の音声出力接点４ｂと接地接点４ｃとともに、第１のプラグ２に接続されたリモコン用接続端子に接続されるリモコン用接続接点４ｄを備えている。第１の音声出力接点４ａ及び第２の音声出力接点４ｂは機器内の音声信号処理系の回路に接続され、リモコン用接続接点４ｄは信号線５１を介して動作制御マイコン１０に接続されている。ここで、ジャック４は、一義的にはリモコン用接続端子を有する４極単頭プラグに対応可能な、４接点を有する構成となっているが、コードの途中にリモコンを有しないヘッドホン用の３極単頭プラグにも対応可能な構成となっている。具体的には、３極単頭プラグが挿入された場合には、接地接点４ｃとリモコン用接続接点４ｄとが短絡されるようになっている。
【００２７】
検出部８は、リモコン用接続接点４ｄ、電源制御部９、電源回路２５に接続されている。検出部８は、リモコン用接続接点４ｄの接地状態を検出し、ジャック３に接続されたプラグの種類（リモコン端子を備えた４極単頭プラグの第１のプラグ２か、リモコン端子を備えない３極単頭プラグの第２のプラグ７）を判別する。その判別結果に基づいて、信号線５２を介して電源制御部９における電源投入要求を制御する。
【００２８】
電源制御部９は、検出部８と動作制御部１０と電源回路２５に接続されている。電源制御部９は、検出部８から電源投入要求が入力されると、電源線５３を介して動作制御部１０の電源のオン／オフを制御する。
【００２９】
動作制御部１０は、音響機器５０内の各部を動作制御するマイクロコンピューターで構成されている。すなわち、動作制御部１０は、第１のヘッドホン１に備えたリモコン１２の操作内容に対応して、再生制御部２２や音声信号処理部２３などを動作制御する。また、動作制御部１０を駆動するための電源は、電源制御部９によって供給されている。
【００３０】
電源回路２５は、音響機器５０内の各部に電源を供給する回路であり、本実施の形態では少なくとも電源制御部９を介して動作制御部１０に電源供給している。また、基準電圧Ｖｃｃも、電源回路２５から供給される電源電圧を調整して生成される。なお、本実施の形態では電源電圧を２．８Ｖとしている。
【００３１】
情報媒体２１は、楽曲などの音声データ（音声信号）が記録されており、音響機器５０で再生可能なフォーマットで書き込まれている。情報媒体２１は、コンパクトディスク（ＣＤ）や、例えばデジタル音声データが記録された半導体メモリーカードや、ハードディスクドライブなどで構成されており、少なくとも本機器で音声を再生することができれば、情報媒体の種類や記録フォーマットについては限定されない。以下の説明では、情報媒体２１はデジタル音声データが記録された半導体メモリーカードを一例に挙げて説明する。
【００３２】
再生制御部２２は、情報媒体２１に記録されている音声データを読み出し、音声信号に変換する。すなわち、情報媒体２１に記録されているデジタル音声データをデコードし、デジタル−アナログ変換器によってアナログ音声に変換して出力する。
【００３３】
音声信号処理部２３は、再生制御部２２から出力される音声信号に対してノイズ除去処理やイコライザ処理を施し、Ｌｃｈの音声信号とＲｃｈの音声信号とを出力する。
【００３４】
第１の増幅部２４ａはＬｃｈ音声信号を増幅し、第２の増幅部２４ｂはＲｃｈ音声信号を増幅するものである。増幅された音声信号は、ジャック4の第１の音声出力接点４ａと第２の音声出力接点４ｂとに出力される。
【００３５】
信号線５１は、リモコン１２が操作されることによる制御信号を動作制御部１０に伝達するものである。信号線５２は、検出部８から出力される電源制御信号を電源制御部９へ伝達するものである。電源線５３は、電源回路２５から検出部８及び電源制御部９などへ電源供給するものである。接地線５４は、接地に接続されるものである。
【００３６】
図２Ａは第１のヘッドホン１の構成を示す回路図である。図２Ｂは第２のヘッドホン６の構成を示す回路図である。
【００３７】
図２Ａに示すように、第１のヘッドホン１は、第１のプラグ２と、第１のスピーカー１１ａ及び第２のスピーカー１１ｂと、リモコン１２と、端子１３ａ〜１３ｄとを備えている。
【００３８】
第１のプラグ２は、４極単頭プラグで構成され、第１の音声出力接点４ａに接続される第１の音声端子２ａと、第２の音声出力接点４ｂに接続される第２の音声端子２ｂと、接地接点４ｃに接続される接地端子２ｃと、リモコン用接続接点４ｄに接続されるリモコン用接続端子２ｄとを備えている。第１の音声端子２ａは、端子１３ａを介して第１のスピーカー１１ａの一方の端子に接続されている。第２の音声端子２ｂは、端子１３ｂを介して、第２のスピーカー１１ｂの一方の端子に接続されている。接地端子４ｃは、端子１３ｃを介して、第１のスピーカー１１ａ及び第２のスピーカー１１ｂの接地端子とリモコン１２の接地端子に接続されている。リモコン用接続端子２ｄは、端子１３ｄを介して、リモコン１２の一方の端子に接続されている。
【００３９】
第１のスピーカー１１ａ及び第２のスピーカー１１ｂは、それぞれＬｃｈ用のスピーカー、Ｒｃｈ用のスピーカーである。音響機器５０から出力される音声を出力することができ、受聴者は第１のスピーカー１１ａ及び第２のスピーカー１１ｂから出力される音声を聴くことができる。なお、第１のスピーカー１１ａ及び第２のスピーカー１１ｂと第１のプラグ２（または第２のプラグ６）とは、数十センチ程度のコードで接続されている。
【００４０】
リモコン１２は、コードの略中間部分に配され、音響機器５０を遠隔操作することができる。リモコン１２には、所定の機能に割り当てられるスイッチ１２ａ、１２ｂ、１２ｃが配され、例えば「再生」や「停止」などの操作命令、音量調節などを行うことができる。なお、スイッチの個数は３個に限定されない。また、リモコン１２において、スイッチ１２ａ〜１２ｃはそれぞれ並列に接続され、各スイッチの間には抵抗Ｒ１、Ｒ２、Ｒ３が配されている。よって、リモコン用接続接点４ｄと接地接点４ｃ間におけるインピーダンスが、スイッチ１２ａ〜１２ｃを操作することで変化し、リモコン用接続接点４ｄの電位が変化する。すなわち、スイッチ１２ａが操作された時に電圧が最も低く、スイッチ１２ｃが操作された時に電圧が最も高い。
【００４１】
図２Ｂに示すように、第２のヘッドホン６は、第２のプラグ７と、第１のスピーカー１１ａ及び第２のスピーカー１１ｂと、端子１３ａ〜１３ｃとを備えている。
【００４２】
第２のプラグ７は、３極単頭プラグで構成され、第１の音声出力接点４ａに接続される第１の音声端子７ａと、第２の音声出力接点４ｂに接続される第２の音声端子７ｂと、接地接点４ｃとリモコン用接続接点４ｄとに接続される接地端子７ｃとを備えている。第１の音声端子７ａは、端子１３ａを介して第１のスピーカー１１ａの一方の入力端子に接続されている。第２の音声端子７ｂは、端子１３ｂを介して、第２のスピーカー１１ｂの一方の端子に接続されている。接地端子７ｃは、端子１３ｃを介して、第１のスピーカー１１ａ及び第２のスピーカー１１ｂの接地端子に接続されている。
【００４３】
以下、音響機器の動作について説明する。
【００４４】
まず、図２Ａに示す第１のヘッドホン１の第１のプラグ２が、図１に示す音響機器５０に接続された場合、第１の音声端子２ａが第１の音声出力接点４ａに接続され、第２の音声端子２ｂが第２の音声出力接点４ｂに接続され、接地端子２ｃが接地接点４ｃに接続され、リモコン用接続端子２ｄがリモコン用接続接点４ｄに接続される。
【００４５】
第１のプラグ２がジャック３に接続された段階では、リモコン用接続接点４ｄが接地端子４ｃに接続されていないため、リモコン用接続接点４ｄにはＶｃｃ電圧がＦＥＴ４１、抵抗Ｒ３９、ダイオードＤ３８を介して印加されており、検出部８ではこの印加電圧を検出している。この状態では信号線５２を介して電源制御部９への電源投入の要求出力はなく、動作制御部１０も通電されておらず、動作していない。
【００４６】
次に、リモコン１２における、例えば電源オン／オフ機能が割り当てられているスイッチ１２ａが操作されると、リモコン用接続接点４ｄの電圧が、Ｖｃｃ電圧を分圧する抵抗Ｒ３９と抵抗Ｒ１に基づいて第１の電圧になる。この第１の電圧が検出部８で検出される。
【００４７】
検出部８は、第１の電圧を検出することで、電源制御部９に対して動作制御部１０の電源を投入するよう制御する。これにより電源制御部９は、電源回路２５から供給される電源を、動作制御部１０に供給し、動作制御部１０は動作状態になる。
【００４８】
次に、機器が動作状態であるときに操作ボタン１２ｂが操作（例えば「音声再生」操作）されると、リモコン用接続接点４ｄの電圧が変化する。この電圧を信号線５１を介して動作制御部１０が検出し、機器の動作を制御する。具体的には、動作制御部１０は、再生制御部２２に対して情報媒体２１に記録されている音声データを読み出すように制御するとともに、音声信号処理部２３に対して音声信号の信号処理を行うように制御する。
【００４９】
再生制御部２２は、情報媒体２１から音声データを読み出し、エンコードフォーマットに対応したデコード処理を行うとともに、ＤＡ変換処理を行ってアナログ音声信号を得る。得られた音声信号は、音声信号処理部２３においてノイズ除去やイコライザ処理などの各種音声信号処理が施され、Ｌｃｈ音声信号とＲｃｈ音声信号とが出力される。出力された音声信号は、Ｌｃｈ増幅器２４ａおよびＲｃｈ増幅器２４ｂにおいて増幅処理され、第１の音声出力接点４ａ及び第２の音声出力接点４ｂに出力される。音声信号は、第１の音声出力接点４ａ及び第２の音声出力接点４ｂから、第１のプラグ２を介して第１のスピーカー１１ａ及び第２のスピーカー１１ｂに出力される、これにより、ユーザーは、リモコン１２の操作に基づき、情報媒体２１に記録されている音声データを、受聴することができる。
【００５０】
次に、図２Ｂに示す第２のヘッドホン６が、図１に示す音響機器５０に接続された場合、第１の音声端子７ａに第１の音声出力接点４ａが接続され、第２の音声端子７ｂに第２の音声出力接点４ｂが接続され、接地端子７ｃに接地接点４ｃとリモコン用接続接点４ｄとが接続される。すなわち、リモコン用接続接点４ｄは接地される。
【００５１】
検出部８は、ジャック３に第２のヘッドホン６が接続されると、電源制御部９に対して電源投入するよう命令する。電源制御部９は、検出部８からの命令に基づき、電源回路２５からの電源を動作制御部１０に供給する。検出部８は、電源制御部９に対する電源投入命令から所定時間経過後、電源投入を中止するよう電源制御部９に命令する。電源制御部９は、検出部８からの命令に基づき、電源回路２５から動作制御部１０への電源供給を中止させる。これにより、動作制御部１０は動作を停止する。なお、動作制御部１０への電源投入及び中止の具体的動作については、後述する。
【００５２】
上記のように第２のヘッドホン６が接続され、音響機器５０に装備された操作部（不図示）が操作（例えば音声再生操作）されると、その制御信号が動作制御部１０に入力され、動作制御部１０は機器の動作を制御する。具体的には、動作制御部１０は、再生制御部２２に対して情報媒体２１に記録されている音声データを読み出すように制御するとともに、音声信号処理部２３に対して音声信号の信号処理を行うように制御する。
【００５３】
再生制御部２２は、情報媒体２１から音声データを読み出し、エンコードフォーマットに対応したデコード処理を行うとともに、ＤＡ変換処理を行ってアナログ音声信号を得る。得られた音声信号は、音声信号処理部２３においてノイズ除去やイコライザ処理などの各種音声信号処理が施され、Ｌｃｈ音声信号とＲｃｈ音声信号とが出力される。出力された音声信号は、Ｌｃｈ増幅器２４ａおよびＲｃｈ増幅器２４ｂにおいて増幅処理され、第１の音声出力接点４ａ及び第２の音声出力接点４ｂに出力される。音声信号は、第１の音声出力接点４ａ及び第２の音声出力接点４ｂから、第２のプラグ７を介して第１のスピーカー１１ａ及び第２のスピーカー１１ｂに出力される、これにより、ユーザーは、情報媒体２１に記録されている音声データを受聴することができる。
【００５４】
図１において、Ｖｃｃは、機器５０が動作状態のときＨ電位となっているが、ジャック３に第２のヘッドホン６が接続されていると、プルアップ抵抗Ｒ３９とショットキーダイオードＤ３８を通って、リモコン用接続接点４ｄ及び第２のヘッドホン６に多くの電流が流れてしまう。よって、消費電力が増大してしまう。
【００５５】
これを防ぐため、動作制御部１０が第２のヘッドホン６の接続を検出すると、制御端子１０ａがＨ電位になるように制御する。制御端子１０ａがＨ電位になると、ＦＥＴ４１がオフになり、リモコン用接続接点４ｄ及び第２のヘッドホン６へ流れる電流をカットすることができる。よって、消費電力を抑えることができる。ここで、ＦＥＴ４１は、電流制御回路を構成している。
【００５６】
次に、検出部８の具体構成について説明する。
【００５７】
図３は検出部８の回路図である。図５は検出部８の動作フローを示している。
【００５８】
まず、図２Ａに示すように、ジャック３に第１のヘッドホン１の第１のプラグ２が接続され、電源スイッチが操作されると、リモコン用接続接点４ｄと接地接点４ｃとの間に抵抗が接続されるため、リモコン用接続接点４ｄが中間電圧となる。トランジスタＴｒ１４は、中間電圧がかかるためオン状態を保ち、コンデンサＣ１８は充電されない。抵抗Ｒ１９と抵抗Ｒ２３の抵抗分割の結果、トランジスタＴｒ１５がオンするような中間電圧となる場合、トランジスタＴｒ１６のエミッタがＨ電位となる。コンデンサＣ１８が充電されないので、信号線５２から出力される電源投入要求がオンされた後、その状態が継続される。
【００５９】
次に、第１のヘッドホン１の第１のプラグ２が接続されているとともに、ボタンが押されていないか、電源スイッチ以外のスイッチが押された場合は、トランジスタＴｒ１４はオンのままである。また、トランジスタＴｒ１５はオフのままである。また、トランジスタＴｒ１６は、エミッタがＨ電位とならないためオフのままである。そのため、信号線５２から出力される電源投入要求は、オフのままとなる。
【００６０】
次に、図２Ｂに示すように、ジャック３に第２のヘッドホン６の第２のプラグ７が接続されると、リモコン用接続接点４ｄが接地され、図３におけるトランジスタＴｒ１４がオフされる。これにより、電源線５３に入力されている２．８Ｖ電源によって、抵抗Ｒ２０と抵抗Ｒ２６を通して、コンデンサＣ１８の充電を開始する。
【００６１】
また、トランジスタＴｒ１５は、抵抗Ｒ１９と抵抗Ｒ２３とで２．８Ｖ電圧が抵抗分割された結果、オンとなり、トランジスタＴｒ１６のエミッタがＨ電位となる。トランジスタＴｒ１６は、コンデンサＣ１８の充電が完了するまでオンとなるので、抵抗Ｒ２７の上端がＨ電位となり、信号線５２に出力される電源投入要求がオンになる。
【００６２】
その後、コンデンサＣ１８の充電が完了すると、トランジスタＴｒ１６がオフとなり、信号線５２から出力される電源投入要求がオフになる。
【００６３】
また、本実施の形態では、トランジスタＴｒ１４がオフになると、ＦＥＴ２９のゲートがＨ電位となる。すると、ＦＥＴ２９がオフになるため、抵抗Ｒ２４を通ってリモコン用接続接点４ｄへ流れる電流をカットすることができる。
【００６４】
以上の動作は、図５に示すシーケンスに基づいて動作する。すなわち、検出部８は、機器５０が電源オフ状態であるときに、リモコン用接続接点４ｄの接地状態を検出し、電源制御部９に対する電源投入要求を制御する。
【００６５】
すなわち、第１のヘッドホン１が接続され（ステップＳ１）、電源スイッチが押されると（ステップＳ２）、電源投入要求がオンになる（ステップＳ３）。電源スイッチが押されている間は、電源投入要求のオン状態を継続させる。また、第１のヘッドホン１が接続され、電源スイッチが押されていないかまたは起動対象外のボタンが押されているときには、電源投入要求はオンにならない。
【００６６】
また、第２のヘッドホン６が接続されると（ステップＳ４）、電源投入要求がオンになり（ステップＳ５）、一定時間経過後（ステップＳ６）、電源投入要求はオフなる（ステップＳ７）。ステップＳ６における一定時間は、図３におけるコンデンサＣ１８の充電時間に相当する。
【００６７】
なお、本実施の形態において起動対象となる中間電圧の範囲は、トランジスタＴｒ１４がオフする最大電圧から、トランジスタＴｒ１５がオンする最大電圧までとなり、ショットキーダイオードＤ１７のＶＦ（順方向電圧）を０．２Ｖ、トランジスタＴｒ１４、Ｔｒ１５、Ｔｒ１６のＶＦを０．６Ｖとした場合、中間電圧の範囲の最小値Ｖｍｉｎは、トランジスタＴｒ１４のＶＦ＝０．６ＶからショットキーダイオードＤ１７のＶＦ＝０．２Ｖを差し引いた０．４Ｖとなる。また、最大値は、２．８ＶからトランジスタＴｒ１５のＶＦ＝０．６Ｖを差し引いた２．２Ｖが、抵抗Ｒ１９と抵抗Ｒ２３の抵抗分割により印加されるようなリモコン用接続接点４ｄの電圧、つまり１．６Ｖとなる。
【００６８】
次に、電源制御部９の具体構成について説明する。図４は電源制御部９の回路図である。
【００６９】
図４において、検出部８が、信号線５２に出力している電源投入要求をＨにすると、トランジスタ３０がオンになり、トランジスタＴｒ３１のベースがＬ電位になるため、トランジスタＴｒ３１がオンになる。これにより、信号線５５における電源制御信号がＨになるとともにコンデンサＣ３３が充電されるため、その後、信号線５２に出力されている電源投入要求がＬになっても、動作制御部１０が起動するのに必要な時間、電源制御信号のＨ状態を保つ。このため、ユーザーが、リモコン１２の電源スイッチを指で押して、すぐに指を電源スイッチから離した場合でも、動作制御部１０を起動させることができる。
【００７０】
また、図６は、動作制御部１０における電源投入及びリモコン操作時の動作シーケンスを示すフローチャートである。
【００７１】
電源制御部９による電源投入要求により、動作を開始する（ステップＳ１１）。まず、制御端子１０ａをリセットしてＬ電位となり、ＦＥＴ４１はゲートを介してオンする（ステップＳ１２）。結果、Ｖｃｃ電位がＦＥＴ４１、抵抗Ｒ３３、ショットキーダイオードＤ３８を介して、リモコン用接続接点４ｄに印加される。これにより、このリモコン用接続接点４ｄの電圧レベルを、接地接点４ｃとの間に接続されるリモコン１２の抵抗による抵抗値と抵抗Ｒ３９とで分圧される電圧レベルにより、信号線５１を介して検出する（ステップＳ１３）。
【００７２】
検出された電圧レベルに基づいて、リモコン用接続接点４ｄが接地されているか否かを判断する（ステップＳ１４）。前述したように、４極単頭プラグである第１のプラグ２が接続されれば、リモコン用接続接点４ｄは接地されず、３極単頭プラグである第２のプラグ７が接続されれば、リモコン用接続接点４ｄは接地される。
【００７３】
リモコン用接続接点４ｄが接地されない場合、ステップＳ１５へ進みリモコン１２による電源オン操作が入力されたか否かを確認する。電源オン操作が入力されれば、本装置の起動処理を行う（ステップＳ１６）。電源オン操作が入力されなければ、フローを終了する。
【００７４】
一方、ステップＳ１４において、リモコン用接続接点４ｄが接地された場合、制御端子１０ａをセットする。これにより、ＦＥＴ４１がオフとなり、Ｖｃｃ電圧がリモコン用接続接点４ｄへ印加されるのを遮断することができる（ステップＳ１７）。
【００７５】
以上のように本実施の形態によれば、リモコンを搭載しない第２のヘッドホン６が接続された場合に、動作制御部１０が動作しないように制御するとともに、Ｖｃｃ電源からリモコン用接続接点４ｄを介して、接地接点４ｃに流れる電流を遮断して低減することで、無駄な電力消費を防ぐことができる。
【００７６】
なお、本実施の形態では、第１のヘッドホン１に搭載されている第１のプラグ２を４極単頭プラグで構成し、第２のヘッドホン６に搭載されている第２のプラグ７を３極単頭プラグで構成しているが、極数はこれらに限定されない。
【産業上の利用可能性】
【００７７】
本発明にかかる音響機器は、リモコンのプラグ形状を４極単頭プラグとした場合でもリモコンとリモコンを有しないヘッドホンのいずれについても接続して使用可能となり、機器の小型・薄型化が実現できるという利点を有し、携帯型音響機器として有用である。
【図面の簡単な説明】
【００７８】
【図１】実施の形態１における音響機器の構成を示すブロック図
【図２Ａ】第１のヘッドホンの構成を示す回路図
【図２Ｂ】第２のヘッドホンの構成を示す回路図
【図３】検出部の構成を示す回路図
【図４】電源制御部の構成を示す回路図
【図５】検出部の動作シーケンスを示すフローチャート
【図６】動作制御部の動作シーケンスを示すフローチャート
【図７】第１のヘッドホンが接続された状態を示す断面図
【図８】第２のヘッドホンが接続された状態を示す断面図
【符号の説明】
【００７９】
１  第１のヘッドホン
２  第１のプラグ
２ａ、２ｂ、７ａ、７ｂ  音声端子
２ｃ、７ｃ  接地端子
２ｄ、７ｄ  リモコン用接続端子
３  ジャック本体
４ａ、４ｂ  音声信号接点
４ｃ  接地接点
４ｄ  リモコン用接続接点
６  第２のヘッドホン
８  検出部
９  電源制御部
１０  動作制御部
【図１】
2007251410.tif 000003
【図２Ａ】
2007251410.tif 000004
【図２Ｂ】
2007251410.tif 000005
【図３】
2007251410.tif 000006
【図４】
2007251410.tif 000007
【図５】
2007251410.tif 000008
【図６】
2007251410.tif 000009
【図７】
2007251410.tif 000010
【図８】
2007251410.tif 000011